(57)【要約】      （修正有）【課題】少なくとも２個のデバイスを人体骨格突出位置の両側に配置でき、人体骨格の屈伸作動に便利で、人体ニーズに符合した性能を備える弾性デバイスを提供する。【解決手段】弾性デバイスは少なくとも２個のデバイス１０及びソフトインターフェース２０を有する。デバイス１０内にはそれぞれ電気パーツ１１を設置する。ソフトインターフェース２０はデバイス１０と相互に結合し、デバイスをブリッジングする。これにより少なくとも２個のデバイスを人体に設置する時に伸展を形成できる。【選択図】図１
0003209378.tif 000002
【実用新案登録請求の範囲】
【請求項１】
弾性デバイスであって、少なくとも２個のデバイス、ソフトインターフェースを有し、
前記少なくとも２個のデバイス内には、それぞれ電気パーツを設置し、
前記ソフトインターフェースは、前記少なくとも２個のデバイスと相互に結合し、しかも前記ソフトインターフェースは、前記少なくとも２個のデバイスをブリッジングし、これにより前記少なくとも２個のデバイスを人体に設置する時には、前記ソフトインターフェースにより伸展を形成できることを特徴とする弾性デバイス。
【請求項２】
前記ソフトインターフェースはさらに、前記少なくとも２個のデバイスの中間に設置し、
前記ソフトインターフェースの両端は、前記少なくとも２個のデバイスとそれぞれ連接を形成し、しかも前記ソフトインターフェースの内部には、孔道を設置し、これにより前記少なくとも２個のデバイスは、前記ソフトインターフェースの孔道を通して、少なくとも１個の伝送線を取り付け、前記少なくとも２個のデバイスは、電気的連接を形成できることを特徴とする請求項１に記載の弾性デバイス。
【請求項３】
前記ソフトインターフェースの両端と前記少なくとも２個のデバイスの連接方式は、超音波溶接、埋め込み射出、粘着接合、凸部或いは凹部を対応させた係合等の内の任意の一種の方式を採用できることを特徴とする請求項２に記載の弾性デバイス。
【請求項４】
前記ソフトインターフェースには、前記少なくとも２個のデバイスに対応する少なくとも２個の凹槽をさらに設置し、
前記少なくとも２個のデバイスは、対応する凹槽内にさらにそれぞれ設置され、しかも前記少なくとも２個の凹槽間には、孔道を設置し、これにより前記少なくとも２個の凹槽は、前記孔道により、少なくとも１個の伝送線を設置し、前記少なくとも２個の凹槽は、電気的連接を形成できることを特徴とする請求項１に記載の弾性デバイス。
【請求項５】
前記ソフトインターフェースの凹槽内には、電性接点をさらに設置し、
前記デバイスには、電性接点をさらに設置し、
これにより、前記デバイスが前記ソフトインターフェースの凹槽内に設置されると、前記デバイスの電性接点を通して、前記ソフトインターフェースの凹槽内の電性接点と接触導通を形成することを特徴とする請求項４に記載の弾性デバイス。
【請求項６】
前記少なくとも２個のデバイスは、上半部と下半部にそれぞれ分割され、しかも前記上半部と下半部にはそれぞれ電性接点を設置し、
前記ソフトインターフェースは、前記少なくとも２個のデバイスの上半部と下半部の間に設置され、しかも前記ソフトインターフェース上には、電性接点を設置し、
前記ソフトインターフェース内には、少なくとも１個の伝送線を設置し、しかも前記伝送線を通して、前記ソフトインターフェース上の電性接点は電気的連接を形成し、
前記デバイスの上半部と下半部とを結合すると、前記デバイスの上半部と下半部の電性接点は、中間に位置するソフトインターフェース上の電性接点と接触導通を形成することを特徴とする請求項１に記載の弾性デバイス。
【請求項７】
前記ソフトインターフェースには、孔洞をさらに設置し、
前記デバイスの上半部と下半部には、対応する嵌合部をそれぞれ設置し、
前記デバイスの上半部或いは下半部の嵌合部は前記ソフトインターフェースの孔洞を通過し、これにより前記デバイスの上半部或いは下半部の嵌合部と対接係合を形成することを特徴とする請求項６に記載の弾性デバイス。
【請求項８】
前記デバイスは、少なくとも１個の信号線をさらに連接し、
前記信号線のもう一端には、探知パーツを設置し、
前記探知パーツは、身体表層の生理信号を探知する電極片を有し、しかも前記生理信号は、体温、心拍、脈拍等の内の任意の一種であることを特徴とする請求項１、２、４或いは６に記載の弾性デバイス。
【請求項９】
前記少なくとも２個のデバイスは、信号送信／受信器、パワーサプライ、無線信号送信／受信器、探知モジュール、ＧＰＳモジュール、傾斜感知モジュール、コントロール処理モジュール、電性を備える嵌合体等の内の任意の一種或いは任意の二種であることを特徴とする請求項１に記載の弾性デバイス。
【請求項１０】
前記電気パーツは、傾斜感知チップ、マイクロコントローラー、無線伝送チップ、電源コントロールチップ、信号伝送チップ、電池等電子パーツの内の任意の一種、或いは組合せであることを特徴とする請求項１に記載の弾性デバイス。
【請求項１１】
前記ソフトインターフェースはゴム、シリコン、プラスチック、編織布等の内の任意の一種であることを特徴とする請求項１に記載の弾性デバイス。
【考案の詳細な説明】
【技術分野】
【０００１】
本考案は弾性デバイスに関し、特に少なくとも２個のデバイス及びソフトインターフェースを有し、該少なくとも２個のデバイス内には、それぞれ電気パーツを設置し、及び該ソフトインターフェースは、該少なくとも２個のデバイスと相互に結合し、しかも該ソフトインターフェースは、該少なくとも２個のデバイスをブリッジングし、これにより該少なくとも２個のデバイスを人体に設置する時には、該ソフトインターフェースにより伸展を形成でき、該少なくとも２個のデバイスは、人体骨格突出位置の両側に位置でき、人体骨格の屈伸作動に便利で、生理探知デバイス、医療探知デバイス等或いは類似のデバイスに適用される弾性デバイスに関する。
【背景技術】
【０００２】
既存の生理探知デバイス或いは医療探知デバイスの多くは、ハードケースの設計を採用し、内部の電子パーツが衝撃を受けて、使用機能に影響しないよう保護する。人の身体は、およそ２０６個の骨格により組成され、しかも骨格の外側は、筋肉層及び皮膚表層により覆われている。また、人体は作動する必要があるため、骨格の中には皮膚表層上に骨形が出現するものもある。人体の骨格は基本的に硬い器官であり、身体を支えて保護するものである。
【０００３】
人体が呼吸を行う時、人の皮膚表層は、胸腔の起伏により伸展を連動する。よって、生理探知デバイス或いは医療探知デバイスを人の皮膚表層に設置すると、生理探知デバイス或いは医療探知デバイスの外層がハードケースであるため、皮膚表層と摩擦を生じ、人体は不快を感じ、使用を嫌うようになる。さらに、生理探知デバイス或いは医療探知デバイスの業者の中には、人体の形に対応して設計したと強調するものもいる。
【０００４】
しかし、人の身体の形は、身長や成長の関係でみな異なる。しかも、該生理探知デバイス或いは医療探知デバイスが探知する位置の多くは、皮膚表層上の骨格の骨形が出ている位置であるため、生理探知デバイス或いは医療探知デバイスを、骨格の骨形の位置に設置すると、基本的には使用上の不快及び不便を引き起こしてしまう。こうして、探知したデータが不正確になり、或いは信号が途切れ途切れになり、使用者にとっては不快に加えて、さらに別の苦しみとなる。上記欠点を解決し、使用者が簡単に操作して取り付けられる人体ニーズに合った性能を備える弾性デバイスを開発することが待たれている。
【考案の概要】
【考案が解決しようとする課題】
【０００５】
前記先行技術には、探知したデータが不正確になり、或いは信号が途切れ途切れになり、使用者にとっては不快に加えて、さらに別の苦しみが生まれるという欠点がある。
【課題を解決するための手段】
【０００６】
本考案は少なくとも２個のデバイス及びソフトインターフェースの組合せ設計を有し、該少なくとも２個のデバイス内には、それぞれ電気パーツを設置し、及び該ソフトインターフェースは、該少なくとも２個のデバイスと相互に結合し、しかも該ソフトインターフェースは、該少なくとも２個のデバイスをブリッジングし、これにより該少なくとも２個のデバイスを人体に設置する時には、該ソフトインターフェースにより伸展を形成でき、該少なくとも２個のデバイスは、人体骨格突出位置の両側に位置でき、人体骨格の屈伸作動に便利で、人体ニーズの機能に適合し、こうして全体的実用性を拡大できる弾性デバイスに関する。
【０００７】
本考案は該ソフトインターフェースを該少なくとも２個のデバイスの中間に設置し、しかも該ソフトインターフェースの両端は、該少なくとも２個のデバイスとそれぞれ連接を形成し、而該該連接方式は、超音波溶接、埋め込み射出、粘着接合、凸部或いは凹部を対応させた係合等の内の任意の一種の方式を採用し、これにより該少なくとも２個のデバイスは、中間に連接するソフトインターフェースの特性を通して、湾曲状或いは弧面状を生じ、身体の関節、脊椎、胸骨、腕骨、ひじ、膝関節等部位に対応して取り付け、身体は不快を感じることがなく、こうして全体的な使用性を向上させられる弾性デバイスに関する。
【０００８】
本考案は該ソフトインターフェース上に、該少なくとも２個のデバイスに対応する少なくとも２個の凹槽を設置し、該少なくとも２個のデバイスは、対応する凹槽内にそれぞれ設置され、しかも該凹槽内には、電性接点を設置し、該デバイス上にも電性接点を設置し、これにより該デバイスが該ソフトインターフェースの凹槽内に設置されると、該デバイスの電性接点を通して、該ソフトインターフェースの凹槽内の電性接点と接触導通を形成し、これにより該少なくとも２個のデバイスは下方に設置するソフトインターフェースの柔軟性を通して変形を生じ、身体の関節、脊椎、胸骨、腕骨、ひじ、膝関節等部位に適応し、該ソフトインターフェースを通して身体作動に対する不快感を低下させ、こうして全体的な使用性を向上させられる弾性デバイスに関する。
【０００９】
本考案は該少なくとも２個のデバイスはそれぞれ上半部と下半部に分かれ、しかも該上半部と下半部にはそれぞれ電性接点を設置し、該ソフトインターフェースは、該少なくとも２個のデバイスの上半部と下半部の間に設置し、しかも該ソフトインターフェース上には、電性接点を設置し、該デバイスの上半部と下半部とを結合すると、該デバイスの上半部と下半部の電性接点は、中間に位置するソフトインターフェース上の電性接点と接触導通を形成し、これにより該デバイスの上半部と下半部は、該ソフトインターフェースを通して角度を変えられ、しかも該デバイスは、伸展性の性能を備え、身体部位の突出の影響を受けずに、身体のあらゆるところに取り付けられ、こうして全体的利便性を向上させられる者弾性デバイスに関する。
【００１０】
本考案は該デバイスに少なくとも１個の信号線を連接し、該信号線のもう一端には、探知パーツを設置し、該探知パーツは身体表層の生理信号を探知する電極片を有し、しかも該生理信号は、体温、心拍、脈拍等の内の任意の一種で、これにより該デバイスは該探知パーツが探知した生理信号を収集でき、該デバイスを通して記録及び保存を行い、しかも該探知した生理信号を、無線伝送方式で、該生理信号を受信できるスマート型ポータブル電子デバイス或いは電子機器に伝送し、その生理状態を便利に理解及び管理する性能を備え、こうして全体的な使用性を向上させられる弾性デバイスに関する。
【００１１】
本考案による弾性デバイスは、少なくとも２個のデバイス及びソフトインターフェースを有する。該少なくとも２個のデバイス内には、それぞれ電気パーツを設置する。該ソフトインターフェースは、該少なくとも２個のデバイスと相互に結合し、しかも該ソフトインターフェースは、該少なくとも２個のデバイスをブリッジングし、これにより該少なくとも２個のデバイスを人体に設置する時には、該ソフトインターフェースにより伸展を形成できる。
【００１２】
本考案の弾性デバイスは、身体表層に運用し、人体骨格が突出していることで、生理探知の障害になることを回避でき、しかも身体の関節、脊椎、胸骨、腕骨、ひじ、膝関節等部位に対応して取り付けられ、人体ニーズに適合することで、身体は不快を感じることがない。
【考案の効果】
【００１３】
本考案である弾性デバイスは、人体骨格突出位置の両側に位置でき、人体骨格の屈伸作動に便利で、生理探知デバイス、医療探知デバイス等或いは類似のデバイスに適用することができる。
【図面の簡単な説明】
【００１４】
【図１】本考案主要実施形態の立体外観模式図である。
【図２】本考案主要実施形態のソフトインターフェースが孔道を有する様子を示す模式図である。
【図３】本考案主要実施形態のソフトインターフェースが凸部を有し、或いはデバイスが凹部を有して係合する様子を示す外観模式図である。
【図４】本考案主要実施形態のソフトインターフェースが凸部を有し、或いはデバイスが凹部を有して係合する様子を示す分解模式図である。
【図５】本考案別種の実施形態の立体外観模式図である。
【図６】本考案別種の実施形態の分解模式図である。
【図７】本考案さらに別種の実施形態の立体外観模式図である。
【図８】本考案さらに別種の実施形態の分解模式図である。
【図９】本考案の使用模式図である。
【考案を実施するための形態】
【００１５】
［実施例］
図１〜図９は、本考案実施形態の模式図である。本考案の弾性デバイスは好ましくは、身体表層に運用し、人体骨格が突出していることで、生理探知の障害になることを回避でき、しかも身体の関節、脊椎、胸骨、腕骨、ひじ、膝関節等部位に対応して取り付けられ、人体ニーズに適合することで、身体は不快を感じることがない。
【００１６】
本考案弾性デバイスの主要実施形態は、少なくとも２個のデバイス１０及びソフトインターフェース２０を有する。少なくとも２個のデバイス１０内には、電気パーツ１１をそれぞれ設置し、及びソフトインターフェース２０は、少なくとも２個のデバイス１０と相互に結合する（図１参照）。しかも、ソフトインターフェース２０は、該少なくとも２個のデバイス１０をブリッジングし、これにより該少なくとも２個のデバイス１０を人体に取り付ける時には、ソフトインターフェース２０により伸展を形成できる。
【００１７】
本考案の主要実施形態中のソフトインターフェース２０は、少なくとも２個のデバイス１０の中間に設置する。しかも、ソフトインターフェース２０の両端は、少なくとも２個のデバイス１０と連接を形成する。ソフトインターフェース２０の両端と少なくとも２個のデバイス１０との連接方式は、超音波溶接、埋め込み射出、粘着接合、凸部或いは凹部を対応させた係合等の内の任意の一種の方式を採用する。実施形態の図では、凸部或いは凹部を対応させた係合により連接する（図に限定されない）。しかも、少なくとも２個のデバイス１０の相対側には、凹部１０１をそれぞれ設置する。ソフトインターフェース２０の両端は、凸部２０１をそれぞれ延伸し、以能透過該ソフトインターフェース２０の両端の凸部２０１を通して、少なくとも２個のデバイス１０の凹部１０１内に対応して結合される（図３及び図４参照）。これにより、少なくとも２個のデバイス１０は、中間に連接するソフトインターフェース２０の特性により、湾曲状或いは弧面状を形成し、身体の関節、脊椎、胸骨、腕骨、ひじ、膝関節等部位に対応して取り付けられ、身体は不快を感じることがない。
【００１８】
ソフトインターフェース２０は、２種の構造とできる。第一種のソフトインターフェース２０の構造は、完全に実心の状態で、しかもソフトインターフェース２０内には、孔洞或いは洞口の設計が一切なく、これにより少なくとも２個のデバイス１０を完全に隔てる（図１参照）。こうして、少なくとも２個のデバイス１０は、一切の連接を生じず、しかも各自独立して作動する。第二種のソフトインターフェース２０の構造は、ソフトインターフェース２０の内部に、孔道２１を設置（図２参照）し、これにより少なくとも２個のデバイス１０は、ソフトインターフェース２０の孔道２１により、少なくとも１個の伝送線３０を連接する。しかも、ソフトインターフェース２０内には、電性接点２５を設置し、デバイス１０上にも電性接点１５を設置する。デバイス１０とソフトインターフェース２０とを組合せると、デバイス１０の電性接点１５を通して、ソフトインターフェース２０内の電性接点２５と接触導通を形成し（図３及び図４参照）、少なくとも１個の伝送線３０を通して、少なくとも２個のデバイス１０は電気的連接を形成する。これにより、少なくとも２個のデバイス１０は、相互に信号を伝送して連携できる。本考案の連接方式は、上述の方式の他に、伝送線３０を埋め込み射出の方式によりソフトインターフェース２０内に直接設置する（図示なし。その実施形態は図５及び図６参照）ことができ、これにより少なくとも２個のデバイス１０は、相互に信号を伝送して連携できる。
【００１９】
デバイス１０は、信号送信／受信器、パワーサプライ、無線信号送信／受信器、探知モジュール、ＧＰＳモジュール、傾斜感知モジュール、コントロール処理モジュール、電性を備える嵌合体等の内の任意の一種或いは任意の二種で、しかも電気パーツ１１は、傾斜感知チップ、マイクロコントローラー、無線伝送チップ、電源コントロールチップ、信号伝送チップ、電池等電子パーツの内の任意の一種、或いは組合せである。ソフトインターフェース２０は、ゴム、シリコン、プラスチック、編織布等の内の任意の一種である。
【００２０】
本考案弾性デバイスの別種の実施形態は、主要実施形態同様、少なくとも２個のデバイス１０及びソフトインターフェース２０を設置する。しかも、デバイス１０、電子パーツ１１及びソフトインターフェース２０の内容及び組成は、主要実施形態と相同である。よって、上述の主要実施形態の内容を参照されたい。以下では、別種の実施形態と主要実施形態との差異について説明する。
【００２１】
本考案の別種の実施形態は、ソフトインターフェース２０上に、少なくとも２個のデバイス１０に対応する少なくとも２個の凹槽２２を設置する。しかも、ソフトインターフェース２０の面積は、少なくとも２個のデバイス１０の面積より大きい。少なくとも２個のデバイス１０は、対応する凹槽２２内にそれぞれ設置される。凹槽２２は、ソフトインターフェース２０の表層上に、凹槽２２の形状を現すことができる（図６参照）。また、ソフトインターフェース２０の表層を厚くすることで、凹槽２２を、ソフトインターフェース２０の表層内とし、ソフトインターフェース２０の表層に、凹槽２２の形状を現さないようにもできる。
【００２２】
ソフトインターフェース２０の凹槽２２内には、電性接点２２１を設置する。凹槽２２内に対応して設置されるデバイス１０上にも、電性接点１２を設置する。これにより、デバイス１０がソフトインターフェース２０の凹槽２２内に設置されると、デバイス１０の電性接点１２により、ソフトインターフェース２０の凹槽２２内の電性接点２２１と、接触導通を形成する。ソフトインターフェース２０内の少なくとも２個の凹槽２２の間には、孔道を設置し（図示なし。実施形態は図３及び図４参照）、これにより少なくとも２個の凹槽２２は、孔道を通して少なくとも１個の伝送線３０を設置し、少なくとも２個の凹槽２２は、電気的連接を形成できる。本考案の別種の実施形態の図では、伝送線３０を埋め込み射出の方式で、ソフトインターフェース２０内に直接設置している（図５及び図６参照）。これにより、少なくとも２個のデバイス１０は、相互に信号を伝送して連携でき、しかも少なくとも２個のデバイス１０は、下方に設置するソフトインターフェース２０の柔軟性変形を通して、身体の関節、脊椎、胸骨、腕骨、ひじ、膝関節等部位に適応でき、ソフトインターフェース２０により、身体作動に対する不快感を低下させられる。
【００２３】
本考案弾性デバイスのさらに別種の実施形態は、主要実施形態同様、少なくとも２個のデバイス１０及びソフトインターフェース２０を設置する。しかも、デバイス１０、電子パーツ１１及びソフトインターフェース２０の内容及び組成は、主要実施形態と相同であるため、主要実施形態の内容を参照されたい。以下では、さらに別種の実施形態と主要実施形態との差異について説明する。
【００２４】
本考案のさらに別種の実施形態は、少なくとも２個のデバイス１０を、上半部１３と下半部１４にそれぞれ分割する。しかも、上半部１３と下半部１４には、それぞれ電性接点１３１、１４１を設置する。ソフトインターフェース２０は、少なくとも２個のデバイス１０の上半部１３と下半部１４の間に設置する（図７及び図８参照）。しかも、ソフトインターフェース２０上の上半部１３と下半部１４の電性接点１３１、１４１の相対位置にも電性接点２３を設置する。デバイス１０の上半部１３と下半部１４とを結合すると、デバイス１０の上半部１３と下半部１４の電性接点１３１、１４１は、中間に位置するソフトインターフェース２０上の電性接点２３と接触導通を形成する。これにより、少なくとも２個のデバイス１０の上半部１３と下半部１４は、ソフトインターフェース２０により角度を変え、しかも少なくとも２個のデバイス１０は、伸展性の性能を備え、身体部位の突出の影響を受けずに、身体のあらゆるところに取り付けられる。
【００２５】
ソフトインターフェース２０には、孔洞２４をさらに設置する。デバイス１０の上半部１３と下半部１４には、対応する嵌合部１３２、１４２をそれぞれ設置し、デバイスの上半部１３或いは下半部１４の嵌合部１３２、１４２により、ソフトインターフェース２０の孔洞２４を通過し（図８参照）、デバイス１０の上半部１３或いは下半部１４の嵌合部１３２、１４２と、対接係合を形成する。これにより、デバイス１０の上半部１３と下半部１４は、ソフトインターフェース２０と緊密に結合し（対接係合の方式は、他の設計とでき、図示に限定されない）、デバイス１０の上半部１３と下半部１４の電性接点１３１、１４１は、中間に位置するソフトインターフェース２０上の電性接点２３と接触導通する。さらに、ソフトインターフェース２０内には、少なくとも１個の伝送線３０を設置し、しかも伝送線３０を通して、ソフトインターフェース２０上の電性接点２３と電気的連接を形成する。こうして、少なくとも２個のデバイス１０は、相互に信号を伝送し連絡或いは連携できる。
【００２６】
本考案の主要実施形態であろうと、別種の実施形態或いはさらに別種の実施形態であろうと、デバイス１０は、少なくとも１個の信号線４０を連接でき、しかも信号線４０のもう一端には、探知パーツ５０を設置する（図９参照）。探知パーツ５０は、身体表層の生理信号を探知する電極片を有し、しかも該生理信号は、体温、心拍、脈拍等の内の任意の一種で、これによりデバイス１０は探知パーツが探知した生理信号を収集でき、デバイス１０により記録及び保存を行う。しかも、探知した生理信号を、無線伝送方式で、生理信号を受信できるスマート型ポータブル電子デバイス或いは電子機器に伝送し、その生理状態を便利に理解及び管理する性能を備える。
【符号の説明】
【００２７】
１０  デバイス
１０１  凹部
１１  電気パーツ
１２  電性接点
１３  上半部
１３１  電性接点
１３２  嵌合部
１４  下半部
１５  電性接点
１４１  電性接点
１４２  嵌合部
２０  ソフトインターフェース
２０１  凸部
２１  孔道
２２  凹槽
２２１  電性接点
２３  電性接点
２４  孔洞
２５  電性接点
３０  伝送線
４０  信号線
５０  探知パーツ
【図１】
0003209378.tif 000003
【図２】
0003209378.tif 000004
【図３】
0003209378.tif 000005
【図４】
0003209378.tif 000006
【図５】
0003209378.tif 000007
【図６】
0003209378.tif 000008
【図７】
0003209378.tif 000009
【図８】
0003209378.tif 000010
【図９】
0003209378.tif 000011
【手続補正書】
【提出日】平成28年11月24日(2016.11.24)
【手続補正１】
【補正対象書類名】実用新案登録請求の範囲
【補正対象項目名】全文
【補正方法】変更
【補正の内容】
【実用新案登録請求の範囲】
【請求項１】
弾性デバイスであって、少なくとも２個のデバイス、ソフトインターフェースを有し、  前記少なくとも２個のデバイス内には、それぞれ電気パーツを設置し、
前記ソフトインターフェースは、前記少なくとも２個のデバイスと相互に結合し、しかも前記ソフトインターフェースは、前記少なくとも２個のデバイスをブリッジングし、これにより前記少なくとも２個のデバイスを人体に設置する時には、前記ソフトインターフェースにより伸展を形成できることを特徴とする弾性デバイス。
【請求項２】
前記ソフトインターフェースはさらに、前記少なくとも２個のデバイスの中間に設置し、
前記ソフトインターフェースの両端は、前記少なくとも２個のデバイスとそれぞれ連接を形成し、しかも前記ソフトインターフェースの内部には、孔道を設置し、これにより前記少なくとも２個のデバイスは、前記ソフトインターフェースの孔道を通して、少なくとも１個の伝送線を取り付け、前記少なくとも２個のデバイスは、電気的連接を形成できることを特徴とする請求項１に記載の弾性デバイス。
【請求項３】
前記ソフトインターフェースの両端と前記少なくとも２個のデバイスの連接方式は、超音波溶接、埋め込み射出、粘着接合、凸部或いは凹部を対応させた係合の内の任意の一種の方式を採用できることを特徴とする請求項２に記載の弾性デバイス。
【請求項４】
前記ソフトインターフェースには、前記少なくとも２個のデバイスに対応する少なくとも２個の凹槽をさらに設置し、
前記少なくとも２個のデバイスは、対応する凹槽内にさらにそれぞれ設置され、しかも前記少なくとも２個の凹槽間には、孔道を設置し、これにより前記少なくとも２個の凹槽は、前記孔道により、少なくとも１個の伝送線を設置し、前記少なくとも２個の凹槽は、電気的連接を形成できることを特徴とする請求項１に記載の弾性デバイス。
【請求項５】
前記ソフトインターフェースの凹槽内には、電性接点をさらに設置し、
前記デバイスには、電性接点をさらに設置し、
これにより、前記デバイスが前記ソフトインターフェースの凹槽内に設置されると、前記デバイスの電性接点を通して、前記ソフトインターフェースの凹槽内の電性接点と接触導通を形成することを特徴とする請求項４に記載の弾性デバイス。
【請求項６】
前記少なくとも２個のデバイスは、上半部と下半部にそれぞれ分割され、しかも前記上半部と下半部にはそれぞれ電性接点を設置し、
前記ソフトインターフェースは、前記少なくとも２個のデバイスの上半部と下半部の間に設置され、しかも前記ソフトインターフェース上には、電性接点を設置し、
前記ソフトインターフェース内には、少なくとも１個の伝送線を設置し、しかも前記伝送線を通して、前記ソフトインターフェース上の電性接点は電気的連接を形成し、
前記デバイスの上半部と下半部とを結合すると、前記デバイスの上半部と下半部の電性接点は、中間に位置するソフトインターフェース上の電性接点と接触導通を形成することを特徴とする請求項１に記載の弾性デバイス。
【請求項７】
前記ソフトインターフェースには、孔洞をさらに設置し、
前記デバイスの上半部と下半部には、対応する嵌合部をそれぞれ設置し、
前記デバイスの上半部或いは下半部の嵌合部は前記ソフトインターフェースの孔洞を通過し、これにより前記デバイスの上半部或いは下半部の嵌合部と対接係合を形成することを特徴とする請求項６に記載の弾性デバイス。
【請求項８】
前記デバイスは、少なくとも１個の信号線をさらに連接し、
前記信号線のもう一端には、探知パーツを設置し、
前記探知パーツは、身体表層の生理信号を探知する電極片を有し、しかも前記生理信号は、体温、心拍、脈拍の内の任意の一種であることを特徴とする請求項１、２、４或いは６に記載の弾性デバイス。
【請求項９】
前記少なくとも２個のデバイスは、信号送信／受信器、パワーサプライ、無線信号送信／受信器、探知モジュール、ＧＰＳモジュール、傾斜感知モジュール、コントロール処理モジュール、電気を備える嵌合体の内の任意の一種或いは任意の二種であることを特徴とする請求項１に記載の弾性デバイス。
【請求項１０】
前記電気パーツは、傾斜感知チップ、マイクロコントローラー、無線伝送チップ、電源コントロールチップ、信号伝送チップ、電池電子パーツの内の任意の一種、或いは組合せであることを特徴とする請求項１に記載の弾性デバイス。
【請求項１１】
前記ソフトインターフェースはゴム、シリコン、プラスチック、編織布の内の任意の一種であることを特徴とする請求項１に記載の弾性デバイス。
【手続補正書】
【提出日】平成29年1月13日(2017.1.13)
【手続補正１】
【補正対象書類名】明細書
【補正対象項目名】００１９
【補正方法】変更
【補正の内容】
【００１９】
デバイス１０は、信号送信／受信器、パワーサプライ、無線信号送信／受信器、探知モジュール、ＧＰＳモジュール、傾斜感知モジュール、コントロール処理モジュール、電気を備える嵌合体の内の任意の一種或いは任意の二種で、しかも電気パーツ１１は、傾斜感知チップ、マイクロコントローラー、無線伝送チップ、電源コントロールチップ、信号伝送チップ、電池等電子パーツの内の任意の一種、或いは組合せである。ソフトインターフェース２０は、ゴム、シリコン、プラスチック、編織布等の内の任意の一種である。
【手続補正２】
【補正対象書類名】実用新案登録請求の範囲
【補正対象項目名】全文
【補正方法】変更
【補正の内容】
【実用新案登録請求の範囲】
【請求項１】
弾性デバイスであって、少なくとも２個のデバイス、ソフトインターフェースを有し、  前記少なくとも２個のデバイス内には、それぞれ電気パーツを設置し、
前記ソフトインターフェースは、前記少なくとも２個のデバイスと相互に結合し、しかも前記ソフトインターフェースは、前記少なくとも２個のデバイスをブリッジングし、これにより前記少なくとも２個のデバイスを人体に設置する時には、前記ソフトインターフェースにより伸展を形成できることを特徴とする弾性デバイス。
【請求項２】
前記ソフトインターフェースはさらに、前記少なくとも２個のデバイスの中間に設置し、
前記ソフトインターフェースの両端は、前記少なくとも２個のデバイスとそれぞれ連接を形成し、しかも前記ソフトインターフェースの内部には、孔道を設置し、これにより前記少なくとも２個のデバイスは、前記ソフトインターフェースの孔道を通して、少なくとも１個の伝送線を取り付け、前記少なくとも２個のデバイスは、電気的連接を形成できることを特徴とする請求項１に記載の弾性デバイス。
【請求項３】
前記ソフトインターフェースの両端と前記少なくとも２個のデバイスの連接方式は、超音波溶接、埋め込み射出、粘着接合、凸部或いは凹部を対応させた係合の内の任意の一種の方式を採用できることを特徴とする請求項２に記載の弾性デバイス。
【請求項４】
前記ソフトインターフェースには、前記少なくとも２個のデバイスに対応する少なくとも２個の凹槽をさらに設置し、
前記少なくとも２個のデバイスは、対応する凹槽内にさらにそれぞれ設置され、しかも前記少なくとも２個の凹槽間には、孔道を設置し、これにより前記少なくとも２個の凹槽は、前記孔道により、少なくとも１個の伝送線を設置し、前記少なくとも２個の凹槽は、電気的連接を形成できることを特徴とする請求項１に記載の弾性デバイス。
【請求項５】
前記ソフトインターフェースの凹槽内には、電性接点をさらに設置し、
前記デバイスには、電性接点をさらに設置し、
これにより、前記デバイスが前記ソフトインターフェースの凹槽内に設置されると、前記デバイスの電性接点を通して、前記ソフトインターフェースの凹槽内の電性接点と接触導通を形成することを特徴とする請求項４に記載の弾性デバイス。
【請求項６】
前記少なくとも２個のデバイスは、上半部と下半部にそれぞれ分割され、しかも前記上半部と下半部にはそれぞれ電性接点を設置し、
前記ソフトインターフェースは、前記少なくとも２個のデバイスの上半部と下半部の間に設置され、しかも前記ソフトインターフェース上には、電性接点を設置し、
前記ソフトインターフェース内には、少なくとも１個の伝送線を設置し、しかも前記伝送線を通して、前記ソフトインターフェース上の電性接点は電気的連接を形成し、
前記デバイスの上半部と下半部とを結合すると、前記デバイスの上半部と下半部の電性接点は、中間に位置するソフトインターフェース上の電性接点と接触導通を形成することを特徴とする請求項１に記載の弾性デバイス。
【請求項７】
前記ソフトインターフェースには、孔洞をさらに設置し、
前記デバイスの上半部と下半部には、対応する嵌合部をそれぞれ設置し、
前記デバイスの上半部或いは下半部の嵌合部は前記ソフトインターフェースの孔洞を通過し、これにより前記デバイスの上半部或いは下半部の嵌合部と対接係合を形成することを特徴とする請求項６に記載の弾性デバイス。
【請求項８】
前記デバイスは、少なくとも１個の信号線をさらに連接し、
前記信号線のもう一端には、探知パーツを設置し、
前記探知パーツは、身体表層の生理信号を探知する電極片を有し、しかも前記生理信号は、体温、心拍、脈拍の内の任意の一種であることを特徴とする請求項１、２、４或いは６に記載の弾性デバイス。
【請求項９】
前記少なくとも２個のデバイスは、信号送信／受信器、パワーサプライ、無線信号送信／受信器、探知モジュール、ＧＰＳモジュール、傾斜感知モジュール、コントロール処理モジュール、電気を備える嵌合体の内の任意の一種或いは任意の二種であることを特徴とする請求項１に記載の弾性デバイス。
【請求項１０】
前記電気パーツは、傾斜感知チップ、マイクロコントローラー、無線伝送チップ、電源コントロールチップ、信号伝送チップ、電池の内の任意の一種、或いは組合せであることを特徴とする請求項１に記載の弾性デバイス。
【請求項１１】
前記ソフトインターフェースはゴム、シリコン、プラスチック、編織布の内の任意の一種であることを特徴とする請求項１に記載の弾性デバイス。